(57)【要約】【課題】追加部品を使用せずに特定方向へ放射される電磁波の放射電力を低下させることができる入力装置およびそれを有する携帯端末を提供する。【解決手段】本発明の入力装置１は、電磁波を放射し、通信を行うアンテナ４と、指や入力指示手段の接触または近接を検出し、かつアンテナ４と対向し、アンテナ４と少なくとも部分的に重なっている電極３ｂが配置された入力面３ａを有する入力検出器３と、を有する。【選択図】図１
2013247613.tif 000002
【特許請求の範囲】
【請求項１】
電磁波を放射し、通信を行うアンテナと、
指や入力指示手段の接触または近接を検出し、かつ前記アンテナと対向し、前記アンテナと少なくとも部分的に重なっている電極が配置された入力面を有する入力検出器と、を有する入力装置。
【請求項２】
表示面に、前記表示面と前記入力面とが同じ方向を向くように前記入力検出器が配置された表示装置をさらに有している、請求項１に記載の入力装置。
【請求項３】
前記表示装置は、前記アンテナと対向し、前記アンテナと少なくとも部分的に重なっている、請求項２に記載の入力装置。
【請求項４】
前記入力検出器は、静電容量方式によって前記入力手段の接触または近接を検出する、請求項１から３のいずれか１項に記載の入力装置。
【請求項５】
請求項１から４のいずれか１項に記載の入力装置を備えた携帯端末。
【請求項６】
電磁波を放射し、通信を行うアンテナと対向し、前記アンテナの少なくとも一部と重なるように、指や入力指示手段の接触または近接を検出するための電極を配置して、
前記アンテナから放射される電磁波のうち、前記アンテナと前記電極とが重なる方向に放射された電磁波のエネルギーを前記電極に吸収させて、前記方向に放射された前記電磁波の放射電力を低下させる、放射電力の抑制方法。
【発明の詳細な説明】
【技術分野】
【０００１】
本発明は、アンテナから放射される電磁波のうち、特定の方向へ放射のエネルギーが抑制された入力装置を有する携帯端末に関する。
【背景技術】
【０００２】
近年、携帯端末の小型化が進んでいる。例えば、携帯端末の１つである携帯電話機の場合、その小型化によって、人体に吸収される、携帯電話機内部のアンテナから発せられる電磁波のエネルギーの量が増える傾向にある。しかしながら、このことは、使用する携帯電話機の比吸収率（ＳＡＲ）を極力小さくしたいというユーザの要望とは相反する。そのため、ＳＡＲを低下させるために、アンテナから放射される電磁波のエネルギーを下げる必要がある。しかしながら、アンテナから放射される電磁波のエネルギーを低下させるために、アンテナへの投入電力を下げたり、アンテナ特性を低下させたりすると、アンテナの無線機としての特性そのものを落とすことになる。よって、ＳＡＲを低下させるためには、特定の方向へ放射される電磁波の放射電力を下げることが有効である。そこで、例えば特許文献１には、携帯電話機の、使用者の頭部が接触する部分に、フェライトシートを装着して、人体方向へ放射される電磁波の放射電力を低下させる方法が示されている。
【先行技術文献】
【特許文献】
【０００３】
【特許文献１】特開２０００−１０１３３８号公報
【発明の概要】
【発明が解決しようとする課題】
【０００４】
しかしながら、上記の関連技術のように、フェライトシートなどの磁性体からなる電磁波吸収体を使用する場合、部品追加による費用の増加、および配置場所の確保が必要である。
【０００５】
本発明は、追加部品を使用せずに特定方向へ放射される電磁波の放射電力を低下させることは困難である、といった課題を解決する入力装置およびそれを有する携帯端末を提供する。
【課題を解決するための手段】
【０００６】
本発明の入力装置は、電磁波を放射し、通信を行うアンテナと、指や入力指示手段の接触または近接を検出し、かつアンテナと対向し、アンテナと少なくとも部分的に重なっている電極が配置された入力面を有する入力検出器と、を有する。
【０００７】
本発明の携帯端末は、上記の入力装置を有している。
【０００８】
本発明の放射電力の抑制方法では、電磁波を放射し、通信を行うアンテナと対向し、アンテナの少なくとも一部と重なるように、指や入力指示手段の接触または近接を検出するための電極を配置して、アンテナから放射される電磁波のうち、アンテナと電極とが重なる方向に放射された電磁波のエネルギーを電極に吸収させて、方向に放射された電磁波の放射電力を低下させる。
【発明の効果】
【０００９】
本発明によれば、追加部品を使用することなく、特定方向の電磁波の放射電力を抑制させることができる。
【図面の簡単な説明】
【００１０】
【図１】本発明に係る入力装置の一実施形態の概略図であり、（ａ）は正面図、（ｂ）は側面図である。
【図２】本発明に係る携帯端末の一実施携帯の概略構成図であり、（ａ）は正面図、（ｂ）は（ａ）のＡＡ断面の概略図である。
【図３】本発明に係る携帯端末の他の実施携帯の概略構成図であり、（ａ）は正面図、（ｂ）は（ａ）のＢＢ断面の概略図である。
【図４】本発明に係る携帯端末のさらに他の実施携帯の概略構成図であり、（ａ）は正面図、（ｂ）は（ａ）のＣＣ断面の概略図である。
【図５】アンテナと入力検出器の重なり量とアンテナの放射効率の関係を示すグラフである。
【発明を実施するための形態】
【００１１】
以下に、添付の図面に基づき、本発明の実施の形態の詳細について説明する。なお、同一の機能を有する構成には添付図面中、同一の番号を付与し、その説明を省略することがある。
【００１２】
図１は、本発明に係る入力装置の一実施形態の概略図であり、（ａ）は正面図、（ｂ）は側面図である。図２は、本発明に係る携帯端末の一実施形態の概略構成図であり、（ａ）は正面図、（ｂ）は（ａ）のＡＡ断面の概略図である。
【００１３】
本発明の携帯端末１０は、入力装置１を内部に収容する筐体５を有している。入力装置１は、表示装置２と入力検出器３とアンテナ４とを有している。なお、図示していないが、筐体５内には、携帯端末１０の動作を制御するための回路基板などが設けられている。また、携帯端末１０が携帯電話機や携帯ゲーム機などの場合は、不図示のスピーカなどが設けられており、必要に応じて携帯端末１０に入力装置１以外の構成を追加することができる。
【００１４】
液晶ディスプレイなどの表示装置２の表示面側に、ユーザの指やまたはスタイラスなどの入力指示手段を用いた入力を検出する、例えばタッチパッドのような入力検出器３が任意の方法で固定されている。つまり、表示装置２と入力検出器３とでタッチパネルのような構成になっている。
【００１５】
入力装置１は、表示装置２が筐体５の表示部５ａから露出するように、筐体５内に収容されている。このとき、表示装置２が筐体５の底面と対向するように配置される。
【００１６】
筐体５内部の角部にはアンテナ４が配置されている。なお、アンテナ４の位置はこれに限定されない。このアンテナ４によって、外部と通信が可能となっている。
【００１７】
静電容量方式の入力検出器３の場合、入力検出器３の入力面３ａ（指や入力指示手段が近接または接触する面）に透明電極（ＩＴＯ）膜３ｂが配置されている。そして、指や入力指示手段が入力検出器３に近接または接触することによって生じる静電容量（電荷）の変化を検出することで、入力装置１への入力が行われる。
【００１８】
本発明の入力装置１では、入力検出器３で検出した内容を不図示の処理装置で処理し、アンテナ４から電磁波でデータを外部の機器に送信することが可能である。
【００１９】
本発明の携帯端末１０の特徴を説明する。本発明の入力装置１においては、アンテナ４と入力検出器３とが少なくとも部分的に重なるように、表示装置２の面積よりも入力検出器３の面積のほうが大きくなっている。
【００２０】
このような構成にすることで、アンテナ４から放射される電磁波のうち、アンテナ４と入力検出器３とが重なる方向の電磁波のエネルギーが入力検出器３の透明電極３ｂに吸収される。そのため、アンテナ４と入力検出器３（透明電極３ｂ）とが重なる方向において、アンテナ４から透明電極３ｂに向かう電磁波の放射電力は、透明電極３ｂよりも先では放射電力が低下する。本発明では、入力検出器３に用いている透明電極３ｂによって、アンテナ４から放射された電磁波の放射電力を低下させるため、フェライトシートなどの電磁波吸収体のような追加部品を用いる必要がない。そのため、製造コストを抑制することも可能である。
【００２１】
ユーザは、入力面３ａを見ながら携帯端末１０を操作するため、入力面３ａとはほぼ垂直に顔が位置する場合が多い。また、携帯端末１０が携帯電話機やスマートフォンの場合、携帯端末１０の入力面３ａ側の面に、マイクやスピーカが設置されるため、ユーザは携帯端末１０の入力面３ａ側の面を頭部に接触させる。本発明では、上述したように、アンテナ４と入力検出器３（透明電極３ｂ）とが重なる方向において、アンテナ４から透明電極３ｂに向かう電磁波の放射電力は、透明電極３ｂに吸収され、透明電極３ｂよりも先では放射電力が低下する。したがって、アンテナ４から透明電極３ｂに向かう方向において透明電極３ｂよりも先に位置するユーザの頭部がさらされる電磁波のエネルギーを低下させることができる。
【００２２】
なお、上記の説明では、入力検出器３（透明電極３ｂ）がアンテナ４に少なくとも部分的に重なるように配置したが、表示装置２もアンテナ４と少なくとも部分的に重なるようにしてもよい（図３（ａ）、（ｂ）参照）。
【００２３】
また、表示装置２や入力検出器３（透明電極３ｂ）を部分的に延長させて、アンテナ４と重なるようにしてもよい（図４（ａ）、（ｂ）参照）。このとき、延長される形状は、矩形が挙げられるが、これに限定されず、いずれの形状であっても構わない。
【００２４】
携帯電話機で使用される９００ＭＨｚ付近と１７００ＭＨｚから２２００ＭＨｚまでの周波数帯において、本発明の効果が得られるのか試験をした。試験結果を図５に示す。図４の縦軸がアンテナ放射効率、横軸が周波数である。また、四角のプロットがアンテナ４と入力検出器３（透明電極３ｂ）とが重なっていない状態（試験Ａ）、三角のプロットが入力検出器３（透明電極３ｂ）の長手方向において、入力検出器３（透明電極３ｂ）とアンテナ４とが５ｍｍ重なった状態（試験Ｂ）の試験結果を示している。
【００２５】
なお、試験結果はアンテナの全方位に対する放射効率を示しているが、試験Ａと試験Ｂとでは、アンテナ４と入力検出器３の位置関係のみが異なり、他の条件は同じである。そのため、試験Ａと試験Ｂとにおける放射効率の変化は、アンテナ４と入力検出器３の位置関係に起因するものである。
【００２６】
試験Ａと試験Ｂを比較すると、試験Ｂは試験Ａに比べて、試験をしたすべての周波数において放射効率が低下している。したがって、本発明によって、放射電力を低下させることが可能であることが確認できた。
【００２７】
本発明の携帯端末の一例としては、携帯電話機が挙げられるが、これに限定されず、携帯ゲーム機、スマートフォン、ＰＤＡ（Ｐｅｒｓｏｎａｌ Ｄｉｇｉｔａｌ Ａｓｓｉｓｔａｎｔ）、ノートパソコン、タブレットＰＣ（Ｐｅｒｓｏｎａｌ Ｃｏｍｐｕｔｅｒ）などにもが挙げられる。
【００２８】
また、入力検出器３は、静電容量方式に限定されず、電磁波のエネルギーを電極に吸収させればよいので、他の方式にも応用可能である。
【符号の説明】
【００２９】
１  入力装置
２  表示装置
３  入力検出器
３ａ  入力面
３ｂ  透明電極
４  アンテナ
５  筐体
５ａ  表示部
１０  携帯端末
【図１】
2013247613.tif 000003
【図２】
2013247613.tif 000004
【図３】
2013247613.tif 000005
【図４】
2013247613.tif 000006
【図５】
2013247613.tif 000007